【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
標本への照明光を発生させる光源と、
前記照明光の光量を変化させるときの変化特性を選択するための指示を取得する指示取得手段と、
前記指示取得手段が取得した指示に係る変化特性で前記照明光の光量を変化させる光量変化手段と、
を有することを特徴とする顕微鏡装置。
【請求項２】
前記光量変化手段は、
抵抗変化特性の異なる複数の可変抵抗と、
前記指示に基づいて前記可変抵抗のうちのひとつを選択する選択手段と、
前記選択手段により選択された可変抵抗の抵抗変化特性に従って前記照明光の光量を変化させる制御手段と、
を有することを特徴とする請求項１に記載の顕微鏡装置。
【請求項３】
前記光源として、発光ダイオードとハロゲンランプとのうちのどちらが選択されているかを検出する第１の検出手段を更に有しており、
前記選択手段は、前記第１の検出手段の検出結果に基づいて、前記可変抵抗のうちのひとつを選択することを特徴とする請求項２に記載の顕微鏡装置。
【請求項４】
前記標本の拡大像を目視で観察するための光路と該拡大像を撮影する撮影装置のための光路とを切り替える光路切り替え部と、前記光路切り替え部により選択されている光路が前記拡大像を目視で観察するための光路と該拡大像を撮像する撮像装置のための光路とのうちどちらが選択されているかを検出する第２の検出手段と、を更に有しており、
前記選択手段は、前記第２の検出手段の検出結果に基づいて、前記可変抵抗のうちのひとつを選択することを特徴とする請求項２に記載の顕微鏡装置。
【請求項５】
前記照明光の光路に対して挿脱することにより暗視野観察と明視野観察とを切り替える観察法切り換え部と、前記観察法切り替え部により選択されている観察法が前記暗視野観察と前記明視野観察とのうちどちらが選択されているかを検出する第３の検出手段と、を更に有しており、
前記選択手段は、前記第３の検出手段の検出結果に基づいて、前記可変抵抗のうちのひとつを選択することを特徴とする請求項２に記載の顕微鏡装置。
【請求項６】
前記標本に対して前記光源からの照明光を照射する各々倍率の異なる複数の対物レンズと、前記対物レンズが装着された対物レンズ切り替え部と、前記対物レンズ切り替え部により選択されている対物レンズを検出する第４の検出手段と、を更に有しており、
前記選択手段は、前記第４の検出手段の検出結果に基づいて、前記可変抵抗のうちのひとつを選択することを特徴とする請求項２に記載の顕微鏡装置。
【請求項７】
前記標本の拡大像を目視で観察するための光路と該拡大像を撮影する撮影装置のための光路とを更に有しており、
前記光源は発光ダイオードであり、
前記複数の可変抵抗には、抵抗変化特性がＡ群変化特性であるものとＢ群変化特性であるものとが少なくとも含まれている、
ことを特徴とする請求項２に記載の顕微鏡装置。
【請求項８】
前記発光ダイオードの点灯を、パルス駆動により行い、
前記制御手段は、前記発光ダイオードをパルス駆動させるパルス信号のデューティ比を変化させることで前記照明光の光量を変化させる、
ことを特徴とする請求項７に記載の顕微鏡装置。
【請求項９】
前記光源として、発光ダイオードとハロゲンランプとのうちのどちらかを選択可能であり、
前記複数の可変抵抗には、抵抗変化特性がＡ群変化特性であるものとＢ群変化特性であるものとが少なくとも含まれている、
ことを特徴とする請求項２に記載の顕微鏡装置。
【請求項１０】
前記照明光の光路に対して挿脱することにより前記標本に対する照明を暗視野照明と明視野照明とで切り替える観察法切り替え部を更に有しており、
前記複数の可変抵抗には、抵抗変化特性がＡ群変化特性であるものとＢ群変化特性若しくはＣ群変化特性であるものとが少なくとも含まれている、
ことを特徴とする請求項２に記載の顕微鏡装置。
【請求項１１】
互いに倍率の異なる複数の対物レンズを更に有しており、
前記複数の可変抵抗には、抵抗変化特性がＡ群変化特性であるものとＢ群変化特性若しくはＣ群変化特性であるものとが少なくとも含まれている、
ことを特徴とする請求項２に記載の顕微鏡装置。
【請求項１２】
前記複数の可変抵抗として、一軸多連の回転型可変抵抗を用いていることを特徴とする請求項２から１１のうちのいずれか１項に記載の顕微鏡装置。
【請求項１３】
前記指示取得手段は、前記標本の拡大像の観察のために設定されている前記顕微鏡装置の設定状態を前記指示として取得し、
前記光量変化手段は、前記指示取得手段が取得した設定状態に対応付けられている変化特性で記照明光の光量を変化させる、
ことを特徴とする請求項１に記載の顕微鏡装置。
【請求項１４】
前記指示取得手段が取得する前記設定状態は、前記標本の拡大像を目視で観察するための光路と該標本の拡大像を撮影する撮影装置のための光路との選択状態、前記光源の種別、前記顕微鏡装置における観察法の設定状態、及び、前記標本の拡大像の観察に使用している対物レンズの倍率のうちの少なくともいずれかであることを特徴とする請求項１３に記載の顕微鏡装置。
【請求項１５】
前記光量変化手段は、
前記変化特性が複数示されているテーブルが予め記憶されている記憶部と、
前記テーブルに示されている変化特性のうちのひとつを前記指示に基づいて選択する選択手段と、
前記選択手段により選択された変化特性を前記記憶部から読み出して該変化特性に従って前記照明光の光量を変化させる制御手段と、
を有することを特徴とする請求項１に記載の顕微鏡装置。
【請求項１６】
前記制御手段は、前記照明光の光路上に備えられている開口絞りの開口径を、前記選択手段により選択された変化特性に従って変化させることを特徴とする請求項１５に記載の顕微鏡装置。
【請求項１７】
前記光源として、発光ダイオードとハロゲンランプとのうちのどちらが選択されているかを検出する第１の検出手段を更に有しており、
前記選択手段は、前記第１の検出手段の検出結果に基づいて、前記テーブルに示されている変化特性のうちのひとつを選択することを特徴とする請求項１５に記載の顕微鏡装置。
【請求項１８】
前記標本の拡大像を目視で観察するための光路と該拡大像を撮影する撮影装置のための光路とを切り替える光路切り替え部と、前記光路切り替え部により選択されている光路が前記拡大像を目視で観察するための光路と該拡大像を撮像する撮像装置のための光路とのうちどちらが選択されているかを検出する第２の検出手段と、を更に有しており、
前記選択手段は、前記第２の検出手段の検出結果に基づいて、前記テーブルに示されている変化特性のうちのひとつを選択することを特徴とする請求項２に記載の顕微鏡装置。
【請求項１９】
前記照明光の光路に対して挿脱することにより暗視野観察と明視野観察とを切り替える観察法切り換え部と、前記観察法切り替え部により選択されている観察法が前記暗視野観察と前記明視野観察とのうちどちらが選択されているかを検出する第３の検出手段と、を更に有しており、
前記選択手段は、前記第３の検出手段の検出結果に基づいて、前記テーブルに示されている変化特性のうちのひとつを選択することを特徴とする請求項２に記載の顕微鏡装置。
【請求項２０】
前記標本に対して前記光源からの照明光を照射する各々倍率の異なる複数の対物レンズと、前記対物レンズが装着された対物レンズ切り替え部と、前記対物レンズ切り替え部により選択されている対物レンズを検出する第４の検出手段と、を更に有しており、
前記選択手段は、前記第４の検出手段の検出結果に基づいて、前記テーブルに示されている変化特性のうちのひとつを選択することを特徴とする請求項２に記載の顕微鏡装置。
【手続補正２】
【補正対象書類名】明細書
【補正対象項目名】００１２
【補正方法】変更
【補正の内容】
【００１２】
なお、上述した本発明に係る顕微鏡装置において、該光量変化手段は、抵抗変化特性の異なる複数の可変抵抗と、該指示に基づいて該可変抵抗のうちのひとつを選択する選択手段と、該選択手段により選択された可変抵抗の抵抗変化特性に従って該照明光の光量を変化させる制御手段と、を有するように構成することができる。
なお、このとき、前記光源として、発光ダイオードとハロゲンランプとのうちのどちらが選択されているかを検出する第１の検出手段を更に有しており、前記選択手段は、前記第１の検出手段の検出結果に基づいて、前記可変抵抗のうちのひとつを選択する、ように構成することができる。
なお、このとき、前記標本の拡大像を目視で観察するための光路と該拡大像を撮影する撮影装置のための光路とを切り替える光路切り替え部と、前記光路切り替え部により選択されている光路が前記拡大像を目視で観察するための光路と該拡大像を撮像する撮像装置のための光路とのうちどちらが選択されているかを検出する第２の検出手段と、を更に有しており、前記選択手段は、前記第２の検出手段の検出結果に基づいて、前記可変抵抗のうちのひとつを選択する、ように構成することができる。
【手続補正３】
【補正対象書類名】明細書
【補正対象項目名】００１３
【補正方法】変更
【補正の内容】
【００１３】
なお、このとき、前記照明光の光路に対して挿脱することにより暗視野観察と明視野観察とを切り替える観察法切り換え部と、前記観察法切り替え部により選択されている観察法が前記暗視野観察と前記明視野観察とのうちどちらが選択されているかを検出する第３の検出手段と、を更に有しており、前記選択手段は、前記第３の検出手段の検出結果に基づいて、前記可変抵抗のうちのひとつを選択する、ように構成することができる。
なお、このとき、前記標本に対して前記光源からの照明光を照射する各々倍率の異なる複数の対物レンズと、前記対物レンズが装着された対物レンズ切り替え部と、前記対物レンズ切り替え部により選択されている対物レンズを検出する第４の検出手段と、を更に有しており、前記選択手段は、前記第４の検出手段の検出結果に基づいて、前記可変抵抗のうちのひとつを選択する、ように構成することができる。
なお、このとき、該標本の拡大像を目視で観察するための光路と該拡大像を撮影する撮影装置のための光路とを更に有しており、該光源は発光ダイオードであり、該複数の可変抵抗には、抵抗変化特性がＡ群変化特性であるものとＢ群変化特性であるものとが少なくとも含まれている、ように構成することができる。
【手続補正４】
【補正対象書類名】明細書
【補正対象項目名】００２１
【補正方法】変更
【補正の内容】
【００２１】
なお、このとき、該制御手段は、該照明の光路上に備えされている開口絞りの開口径を、該選択手段により選択された変化特性に従って変化させるように構成することができる。
なお、このとき、前記光源として、発光ダイオードとハロゲンランプとのうちのどちらが選択されているかを検出する第１の検出手段を更に有しており、前記選択手段は、前記第１の検出手段の検出結果に基づいて、前記テーブルに示されている変化特性のうちのひとつを選択する、ように構成することができる。
なお、このとき、前記標本の拡大像を目視で観察するための光路と該拡大像を撮影する撮影装置のための光路とを切り替える光路切り替え部と、前記光路切り替え部により選択されている光路が前記拡大像を目視で観察するための光路と該拡大像を撮像する撮像装置のための光路とのうちどちらが選択されているかを検出する第２の検出手段と、を更に有しており、前記選択手段は、前記第２の検出手段の検出結果に基づいて、前記テーブルに示されている変化特性のうちのひとつを選択する、ように構成することができる。
なお、このとき、前記照明光の光路に対して挿脱することにより暗視野観察と明視野観察とを切り替える観察法切り換え部と、前記観察法切り替え部により選択されている観察法が前記暗視野観察と前記明視野観察とのうちどちらが選択されているかを検出する第３の検出手段と、を更に有しており、前記選択手段は、前記第３の検出手段の検出結果に基づいて、前記テーブルに示されている変化特性のうちのひとつを選択する、ように構成することができる。
なお、このとき、前記標本に対して前記光源からの照明光を照射する各々倍率の異なる複数の対物レンズと、前記対物レンズが装着された対物レンズ切り替え部と、前記対物レンズ切り替え部により選択されている対物レンズを検出する第４の検出手段と、を更に有しており、前記選択手段は、前記第４の検出手段の検出結果に基づいて、前記テーブルに示されている変化特性のうちのひとつを選択する、ように構成することができる。
【手続補正５】
【補正対象書類名】明細書
【補正対象項目名】００５９
【補正方法】変更
【補正の内容】
【００５９】
なお、図６に示した顕微鏡システムにおいて、図１に示した第一の例に係るものと同一の構成要素には同一の符号を付しており、これらのものについての説明は省略する。
図６に示した顕微鏡システムでは、光路切り替えユニット１２にセンサ２０３が備えられている点、観察法切り替えユニット５にセンサ２０２が備えられている点、及びレボルバ７にセンサ２０１が備えられている点において、図１に示した第一の例に係るものと異なっている。また、この他に、カメラ１６で撮影した試料１０の画像は一旦コンピュータ２１に転送され、この画像のモニタ１８での表示はコンピュータ２１により行われること、及び、明確には図示していないが、操作部２０のスイッチ１３１及び１３２の開閉が、制御部１９によって制御される点も異なっている。
【手続補正６】
【補正対象書類名】明細書
【補正対象項目名】００６０
【補正方法】変更
【補正の内容】
【００６０】
センサ２０３は、光路切り替えユニット１２により現在選択されている光路が、試料１０の拡大像を目視で観察するための光路と当該拡大像を撮影するカメラ１６のための光路とのうちのどちらであるかを示す信号を出力する。センサ２０２は、観察法切り替えユニット５により現在されている観察法が、明視野観察と暗視野観察とのどちらであるかを示す信号を出力する。また、センサ２０１は、レボルバ７により観察光軸上に現在配置されている対物レンズ８が何であるかを示す信号を出力する。